(57)【要約】【課題】  記録先媒体の空容量不足時に別の記録媒体に継続録画を行う場合、録画したコンテンツが分散記録されたままの状態となる。【解決手段】  継続録画により分散記録されたコンテンツを統合して管理する継続録画コンテンツ管理情報を備え、分散記録されたコンテンツを他方の記録媒体にダビング後、当初ユーザが所望したのと同種の記録媒体に再ダビングすることにより、分散記録されたコンテンツを同一記録媒体上で管理することを可能とする。【選択図】  図３
2005328146.tif 000002
【特許請求の範囲】
【請求項１】
内蔵型または可搬型の第一記録媒体と可搬型の第二記録媒体を有し、いずれかの記録媒体への録画処理時に記録容量が不足した場合に他方の記録媒体への継続録画処理を行う録画再生装置において、
継続録画処理が行われることを検知する継続録画検知手段と、
継続録画処理が行われたことを通知する継続録画通知手段と、
継続録画処理により異なる記録媒体上に分割して記録されるＡＶコンテンツを継続録画コンテンツとして管理する為の管理情報を退避する継続録画コンテンツ管理情報退避手段と、
前記継続録画コンテンツの所望の媒体への再記録を指示する結合ダビング起動手段と、
前記結合ダビング起動手段の指示に基づき前記継続録画コンテンツ管理情報を参照して異なる記録媒体上に分割記録されたＡＶコンテンツの所望の媒体への再記録を制御する継続録画コンテンツ再記録制御手段と、
前記継続録画コンテンツ再記録制御手段の指示に基づきＡＶコンテンツのダビング処理を行うダビング制御手段と、
を備えることを特徴とする継続録画コンテンツ結合ダビング装置。
【請求項２】
前記継続録画検知手段は更に、継続録画を行なう記録媒体に記録媒体識別情報を記録することを特徴とする請求項１記載の継続録画コンテンツ結合ダビング装置。
【請求項３】
前記継続録画コンテンツ管理情報は、少なくとも継続録画により異なる記録媒体に記録されたことを示す継続録画識別子と、記録先媒体の識別情報と、分割記録されたＡＶコンテンツとの対応関係を含んでいることを特徴とする請求項１記載の継続録画コンテンツ結合ダビング装置。
【請求項４】
前記継続録画コンテンツ再記録制御手段は更に、所望の記録媒体への再記録時に必要となる記録容量を提示する機能を備えることを特徴とする請求項１記載の継続録画コンテンツ結合ダビング装置。
【請求項５】
前記継続録画コンテンツ再記録制御手段は更に、前記ダビング制御手段に対しファイルコピー形式と再エンコード形式のダビングモードの設定機能を備えることを特徴とする請求項１記載の継続録画コンテンツ結合ダビング装置。
【請求項６】
前記継続録画コンテンツ再記録制御手段は更に、異なる記録媒体上に分割記録されたＡＶコンテンツの所望の媒体への再記録処理終了後に、所望の媒体と異なる記録媒体上に分割記録されたＡＶコンテンツの削除制御機能を備えることを特徴とする請求項１記載の継続録画コンテンツ結合ダビング装置。
【請求項７】
内蔵型または可搬型の第一記録媒体と可搬型の第二記録媒体を有し、いずれかの記録媒体への録画処理時に記録容量が不足した場合に他方の記録媒体への継続録画処理を行う録画再生方法において、
継続録画処理が行われることを検知する継続録画検知ステップと、
継続録画処理が行われたことを通知する継続録画通知ステップと、
継続録画処理により異なる記録媒体上に分割して記録されるＡＶコンテンツを継続録画コンテンツとして管理する為の管理情報を退避する継続録画コンテンツ管理情報退避ステップと、
前記継続録画コンテンツの所望の媒体への再記録を指示する結合ダビング起動ステップと、
前記結合ダビング起動ステップの指示に基づき前記継続録画コンテンツ管理情報を参照して異なる記録媒体上に分割記録されたＡＶコンテンツの所望の媒体への再記録を制御する継続録画コンテンツ再記録制御ステップと、
前記継続録画コンテンツ再記録制御ステップの指示に基づきＡＶコンテンツのダビング処理を行うダビング制御ステップと、
を備えることを特徴とする継続録画コンテンツ結合ダビング方法。
【請求項８】
前記継続録画検知ステップは更に、継続録画を行なう記録媒体に記録媒体識別情報を記録することを特徴とする請求項７記載の継続録画コンテンツ結合ダビング方法。
【請求項９】
前記継続録画コンテンツ管理情報は、少なくとも継続録画により異なる記録媒体に記録されたことを示す継続録画識別子と、記録先媒体の識別情報と、分割記録されたＡＶコンテンツとの対応関係を含んでいることを特徴とする請求項７記載の継続録画コンテンツ結合ダビング方法。
【請求項１０】
前記継続録画コンテンツ再記録制御ステップは更に、所望の記録媒体への再記録時に必要となる記録容量を提示する機能を備えることを特徴とする請求項７記載の継続録画コンテンツ結合ダビング方法。
【請求項１１】
前記継続録画コンテンツ再記録制御ステップは更に、前記ダビング制御ステップに対しファイルコピー形式と再エンコード形式のダビングモードの設定機能を備えることを特徴とする請求項７記載の継続録画コンテンツ結合ダビング方法。
【請求項１２】
前記継続録画コンテンツ再記録制御ステップは更に、異なる記録媒体上に分割記録されたＡＶコンテンツの所望の媒体への再記録処理終了後に、所望の媒体と異なる記録媒体上に分割記録されたＡＶコンテンツの削除制御機能を備えることを特徴とする請求項７記載の継続録画コンテンツ結合ダビング方法。
【請求項１３】
請求項７から請求項１２のいずれか一つに記載の継続録画コンテンツ結合ダビング方法としてコンピュータを機能させるための継続録画コンテンツ結合ダビングプログラム。
【請求項１４】
前記請求項１３に記載のコンピュータプログラムを記録したことを特徴とするコンピュータ読み取り可能な記録媒体。
【発明の詳細な説明】
【技術分野】
【０００１】
本発明は２つ以上の記録媒体を備えた録画再生装置、又は２つ以上の記録媒体を備えた録画再生システムに関し、ユーザが所望した媒体にＡＶコンテンツを記録する場合の記録制御に関する。
【背景技術】
【０００２】
デジタル多用途ディスク（以後ＤＶＤと呼ぶ）レコーダ及びハードディスクドライブ（以後ＨＤＤと呼ぶ）レコーダが、家庭用ＶＴＲの後継機として普及しつつある。記録媒体としてのＤＶＤ、ＨＤＤにはそれぞれ一長一短があり、一言で優劣をつけるのは難しい。このことからメーカー各社は、ＤＶＤレコーダとＨＤＤレコーダの両者の機能を合わせ持つ融合型レコーダを市場に投入している。
融合型レコーダの特徴の１つとして、ＤＶＤへの録画開始時にＤＶＤのディスク空容量が不足していても、ＨＤＤへの録画を継続して行うことができる（以後継続録画と呼ぶ）
。これにより、少なくともＡＶコンテンツの録画自体は途中で中止されることなく、最後まで録画することを可能としている。
記録容量不足時の継続録画、及び記録後のリレー再生制御に関する文献としては以下のものがある（特許文献１参照）。
【特許文献１】特開２００２−３５９７９４号公報
【発明の開示】
【発明が解決しようとする課題】
【０００３】
しかしながら、前記従来の構成では、継続録画によって記録されたＡＶコンテンツは異なる記録媒体に記録されたままの状態である。特に記録媒体としてＨＤＤとＤＶＤを備える融合型レコーダの場合、内蔵型記録媒体であるＨＤＤを一時記録用として利用し、可搬型記録媒体であるＤＶＤを保存用として利用することが一般的である。
従って、ユーザが録画当初から保存用として意図したＤＶＤへの録画の後半部分が、継続録画によってＨＤＤへ記録されているということは、録画自体は中止されなかったという救済効果はあるものの、ＨＤＤ側へ記録されたＡＶコンテンツの後半部分がＨＤＤ上で上書き削除されてしまう場合も起こりえる。ユーザが意図していた保存用の録画という点では課題が残る。
また、録画後のリレー再生処理においては、継続録画による分散記録先の両媒体が装着されていることが前提となる。ＤＶＤは可搬型媒体であり、再生の都度、継続録画によって分散記録が行われたＤＶＤの装着を強いられるのはユーザにとって酷である。
【０００４】
本発明は、前記従来の課題を解決するもので、継続録画によって分散記録されたＡＶコンテンツを、当初ユーザが所望していた記録先媒体に再記録する継続録画コンテンツ結合記録機能を提供することを目的とする。
【課題を解決するための手段】
【０００５】
前記従来の課題を解決するために、本発明の継続録画コンテンツ結合ダビング装置は、継続録画処理が行われることを検知する継続録画検知手段と、継続録画処理が行われたことを通知する継続録画通知手段と、継続録画処理により異なる記録媒体上に分割して記録されるＡＶコンテンツを継続録画コンテンツとして管理する為の管理情報を退避する継続録画コンテンツ管理情報退避手段と、前記継続録画コンテンツの所望の媒体への再記録を指示する結合ダビング起動手段と、前記結合ダビング起動手段の指示に基づき前記継続録画コンテンツ管理情報を参照して異なる記録媒体上に分割記録されたＡＶコンテンツの所望の媒体への再記録を制御する継続録画コンテンツ再記録制御手段と、前記継続録画コンテンツ再記録制御手段の指示に基づきＡＶコンテンツのダビング処理を行うダビング制御手段を備えることを特徴とし、継続録画処理によって分割記録されたＡＶコンテンツを、ユーザが指定する所望の記録媒体へ再記録する制御を行う。
【０００６】
また、本発明の継続録画コンテンツ結合ダビング装置は、前記継続録画検知手段は更に、継続録画を行なう記録媒体に記録媒体識別情報を記録することを特徴とする。
【０００７】
また、本発明の継続録画コンテンツ結合ダビング装置は、前記継続録画コンテンツ管理情報は、少なくとも継続録画により異なる記録媒体に記録されたことを示す継続録画識別子と、記録先媒体の識別情報と、分割記録されたＡＶコンテンツとの対応関係を含んでいることを特徴とする。
【０００８】
また、本発明の継続録画コンテンツ結合ダビング装置は、前記継続録画コンテンツ再記録制御手段は更に、所望の記録媒体への再記録時に必要となる記録容量を提示する機能を備えることを特徴とする。
【０００９】
また、本発明の継続録画コンテンツ結合ダビング装置は、前記継続録画コンテンツ再記録制御手段は更に、前記ダビング制御手段に対しファイルコピー形式と再エンコード形式のダビングモードの設定機能を備えることを特徴とする。
【００１０】
また、本発明の継続録画コンテンツ結合ダビング装置は、前記継続録画コンテンツ再記録制御手段は更に、異なる記録媒体上に分割記録されたＡＶコンテンツの所望の媒体への再記録処理終了後に、所望の媒体と異なる記録媒体上に分割記録されたＡＶコンテンツの削除制御機能を備えることを特徴とする。
【００１１】
また、本発明の継続録画コンテンツ結合ダビング方法は、継続録画処理が行われることを検知する継続録画検知ステップと、継続録画処理が行われたことを通知する継続録画通知ステップと、継続録画処理により異なる記録媒体上に分割して記録されるＡＶコンテンツを継続録画コンテンツとして管理する為の管理情報を退避する継続録画コンテンツ管理情報退避ステップと、前記継続録画コンテンツの所望の媒体への再記録を指示する結合ダビング起動ステップと、前記結合ダビング起動ステップの指示に基づき前記継続録画コンテンツ管理情報を参照して異なる記録媒体上に分割記録されたＡＶコンテンツの所望の媒体への再記録を制御する継続録画コンテンツ再記録制御ステップと、前記継続録画コンテンツ再記録制御ステップの指示に基づきＡＶコンテンツのダビング処理を行うダビング制御ステップを備えることを特徴とする。
【００１２】
また、本発明の継続録画コンテンツ結合ダビング方法は、前記継続録画検知ステップは更に、継続録画を行なう記録媒体に記録媒体識別情報を記録することを特徴とする。
【００１３】
また、本発明の継続録画コンテンツ結合ダビング方法は、前記継続録画コンテンツ管理情報は、少なくとも継続録画により異なる記録媒体に記録されたことを示す継続録画識別子と、記録先媒体の識別情報と、分割記録されたＡＶコンテンツとの対応関係を含んでいることを特徴とする。
【００１４】
また、本発明の継続録画コンテンツ結合ダビング方法は、前記継続録画コンテンツ再記録制御ステップは更に、所望の記録媒体への再記録時に必要となる記録容量を提示する機能を備えることを特徴とする。
【００１５】
また、本発明の継続録画コンテンツ結合ダビング方法は、前記継続録画コンテンツ再記録制御ステップは更に、前記ダビング制御ステップに対しファイルコピー形式と再エンコード形式のダビングモードの設定機能を備えることを特徴とする。
【００１６】
また、本発明の継続録画コンテンツ結合ダビング方法は、前記継続録画コンテンツ再記録制御ステップは更に、異なる記録媒体上に分割記録されたＡＶコンテンツの所望の媒体への再記録処理終了後に、所望の媒体と異なる記録媒体上に分割記録されたＡＶコンテンツの削除制御機能を備えることを特徴とする。
【００１７】
また、本発明の継続録画コンテンツ結合ダビングプログラムは、請求項７から請求項１２のいずれか一つに記載の継続録画コンテンツ結合ダビング方法としてコンピュータを機能させることを特徴とする。
【００１８】
また、本発明のコンピュータ読み取り可能な記録媒体は、前記請求項１３に記載のコンピュータプログラムを記録したことを特徴とする。
【発明の効果】
【００１９】
本発明によれば、継続録画処理によって分割記録されたＡＶコンテンツを、当初ユーザが想定していた記録媒体に記録し直すことができる。
【００２０】
また、本発明によれば、ユーザは再記録時のダビング処理を高速に行う設定や、再記録時のＡＶコンテンツを単独のＡＶコンテンツとして管理する設定を用途に応じて選択することができる。
【００２１】
また、本発明によれば、ユーザは継続録画用に消費した記録媒体の使用領域を解放することができる。
【００２２】
このように、本発明によれば、継続録画によって分散記録されたＡＶコンテンツを、ユーザが所望する記録先媒体に再記録することができる。
【発明を実施するための最良の形態】
【００２３】
以下本発明の実施の形態について、図面を参照しながら説明する。
（実施の形態１）
第一実施例は継続録画処理を行った時の継続録画コンテンツ管理情報の退避と通知、及び継続録画処理後の分割記録コンテンツのダビング制御に関するものである。
図４（ａ）は、本発明の第一実施例に係る継続録画処理が行われた後の概要を示す図である。この図において、ユーザは記録先媒体としてＤＶＤ−ＲＡＭを指定した録画設定を行ったものの、ＤＶＤ−ＲＡＭには既に記録済みのコンテンツが存在していた等の要因（斜線部）で、録画コンテンツの前半部のみ記録できた状態を示す。但し、ＤＶＤ−ＲＡＭに記録できなかった録画コンテンツの後半部は別の記録媒体であるＨＤＤに継続して録画されている。
【００２４】
一方、本発明においては、ユーザが所望した当初の記録先媒体がＤＶＤ−ＲＡＭであることに配慮するために、一旦、ＤＶＤ−ＲＡＭに記録された録画コンテンツの前半部をＨＤＤ側にダビングする。この状態を図４（ｂ）に示す。
次に、ユーザが、ＨＤＤ側に退避された録画コンテンツ前半部及び後半部を記録可能な空容量のあるＤＶＤ−ＲＡＭを新たに装着し、ＨＤＤ側から録画コンテンツ前半部及び後半部を、ＤＶＤ−ＲＡＭ側にダビングする。この状態を図４（ｃ）に示す。
最後に、ＨＤＤ側に退避された録画コンテンツを削除して、分割記録コンテンツのダビング制御処理を終了する。この状態を図４（ｄ）に示す。
すなわち、本実施例で分割記録コンテンツのダビング制御処理を行った状態（図４（ｄ））と、従来例（図４（ａ））を比較して明らかな様に、従来例では異なる記録媒体に分散して記録されていた録画コンテンツが、本発明ではユーザ所望の記録媒体に記録されている。
本発明の継続録画コンテンツ結合ダビング装置は、継続録画が行われた際に、継続録画対象となった各録画コンテンツの継続録画コンテンツ管理情報の退避と通知を行うことで、継続録画処理後の分割記録コンテンツのダビング制御を問題なく行うことができる。
【００２５】
（装置の構成）
次に、上記の分割記録コンテンツのダビング制御を実行する継続録画コンテンツ結合ダビング装置の構成について説明する。
図１は、本発明の実施の形態１の構成を示す。この録画再生装置には、アンテナ１０２及びモニター１０３が接続されている。この録画再生装置は、アンテナ１０２で受信された電波から得られた映像及び音声を記録媒体１３４に記録し、記録された映像をモニター１０３上で再生することができる。
録画再生装置のチューナー１１２は、アンテナ１０２で受信された電波から目的のチャンネルを選局し、そのチャンネルの映像及び音声をエンコーダ１１３に与える。エンコーダ１１３は、与えられた映像及び音声を所定の記録形式で符号化する。エンコーダ１１３により符号化されたデータは、記録媒体１３４に記録される。デコーダ１１６は、記録媒体１３４に記録されたデータを復号化し、出力制御部１１５は出力対象となるコンテンツ保護情報に応じたコピー制限情報の重畳制御を行い、復号化した映像のデータをオーバーレイ部１１４に出力する。
【００２６】
次に、ＯＳＤ表示部１１７は、録画再生装置の動作設定や状況を表す表示データを作成する。オーバーレイ部１１４は、デコーダ１１６からの映像のデータにＯＳＤ表示部１１７からの表示データを合成した所定の表示形式の映像を生成する。オーバーレイ部１１４により生成された映像が、モニター１０３上に表示される。
モニター１０３に表示された映像を見る指示やその他の録画再生装置に対する指示をユーザが行うのに、例えばリモコン１０１が用いられる。ユーザがリモコン１０１を用いて指示を入力すると、ユーザ入力部１１１が、リモコン１０１からの入力を受け付け、その内容をＣＰＵ１３１に伝える。ＣＰＵ１３１は、バス１２０を通じて行われるデータ転送や録画再生装置における各種の処理を制御する。ＲＯＭ１３２には、プログラムが記録されており、ＣＰＵ１３１は、ＲＡＭ１３３を用いながら、このプログラムに従って動作する。
ＲＯＭ１３２に記録されたプログラムには、本発明によって提供される分割記録コンテンツのダビング制御プログラムが含まれる。ＣＰＵ１３１やＲＯＭ１３２、ＲＡＭ１３３などによって構成される録画再生装置内のコンピュータと、この分割記録コンテンツのダビング制御プログラムが協働することによって、録画再生装置は、本発明によって提供される継続録画コンテンツ結合ダビング装置として機能する。
【００２７】
（装置の動作）
以上のように構成された継続録画コンテンツ結合ダビング装置の分割記録コンテンツのダビング制御動作について説明する。
図８（ａ）に、本発明を適用する継続録画コンテンツ結合ダビング装置で用いる継続録画コンテンツ管理情報のフォーマット構造を示す。継続録画数には、現在までに発生した継続録画処理の回数を退避する。この回数は継続録画発生時にカウントアップされ、本発明による分割記録コンテンツの再ダビングが完了した段階でカウントダウンされる。継続録画数と対応する継続録画コンテンツ情報として、記録先媒体種別、分割コンテンツ数、記録先媒体識別子、コンテンツ識別子の４つの情報を定義する。記録先媒体種別は、継続録画コンテンツ結合ダビング装置が対応する記録媒体毎に一意な値を設定し、継続録画処理が発生する前に当初録画先と指定していた記録先媒体の種別を退避する。本実施例ではＤをＤＶＤ−ＲＡＭ、ＨをＨＤＤとする。分割コンテンツ数は、継続録画処理によって分散記録されたコンテンツ総数を退避する。記録先媒体識別子は、各分散コンテンツが記録された記録媒体を識別する情報で前記記録先媒体種別と記録先媒体種別毎に一意に定める管理番号で構成する識別情報を退避する。コンテンツ識別子は、各分散コンテンツが記録された記録媒体上でのコンテンツ単位の識別子である。
【００２８】
図４（ａ）の状態の場合の継続録画コンテンツ管理情報の内容を図８（ｂ）に示す。
この状態では継続録画が１回発生している。録画先として設定していた記録先媒体はＤＶＤ−ＲＡＭで、継続録画による分割コンテンツ数はＤＶＤ−ＲＡＭ側とＨＤＤ側に分散して記録された前半部と後半部の合計２個である。記録先媒体識別子と、コンテンツ識別子は、以下に示す各記録媒体上のＡＶコンテンツ管理情報で設定される値が参照される。図９（ａ）に、ＡＶコンテンツ管理情報の概略構造を示す。ＡＶコンテンツ管理情報は記録媒体に退避される情報で、記録媒体の記録状態を管理する情報であり、少なくとも記録媒体の識別情報、記録媒体の空き容量、記録媒体に記録可能なＡＶコンテンツ数の最大値、記録媒体に記録可能な実体プレイリスト数の最大値、記録媒体に記録可能な実体ストリームファイル数の最大値、記録媒体に記録されているＡＶコンテンツ数、記録媒体に記録されているＡＶコンテンツの実体プレイリスト数、記録媒体に記録されているＡＶコンテンツの実体ストリームファイル数、記録媒体に記録されているＡＶコンテンツの実体プレイリスト数分の実体プレイリスト情報、を含んだ構成である。なお、各最大値の値については、記録媒体の記録フォーマット識別子を別途退避しておき、予め記録フォーマットで規定される規格値を引用する方法でも良い。図９（ｂ）に、ＡＶコンテンツ管理情報内の実体プレイリスト情報の概略構造を示す。実体プレイリスト情報は記録媒体に退避される情報で、エンドユーザの操作対象となるＡＶコンテンツを管理する情報であり、少なくとも再生区間数と、再生区間毎の実体ストリームファイルの先頭位置と末尾位置情報を含んだ構成である。先頭位置は実体ＡＶストリームデータが記録されているＣｌｉｐファイル識別子と、該Ｃｌｉｐファイル内に記録されたＡＶストリームデータのＣｌｉｐファイル先頭からの相対位置を時分秒で管理する情報から構成される。末尾位置も開始位置と同様の構成を持つ。
実体ストリームファイルはＭＰＥＧ２トランスポートストリームの構造に準ずるものとする。ＡＶコンテンツデータは時間軸上に展開され、実体プレイリスト情報は実体ストリームファイル内のアクセス位置を時分秒で指定する。
【００２９】
図４（ａ）の状態の場合のＤＶＤ−ＲＡＭ上のＡＶコンテンツ管理情報の内容を図１０（ａ）に示す。
図４（ａ）の状態の場合のＨＤＤ上のＡＶコンテンツ管理情報の内容を図１０（ｂ）に示す。
以上示したように、図８（ａ）で示した継続録画コンテンツ管理情報と、図９で示したＡＶコンテンツ管理情報は独立している。継続録画が発生していない通常状態はＡＶコンテンツ管理情報によって個々のＡＶコンテンツ単位の管理が行われる。継続録画コンテンツ管理情報はＡＶコンテンツ管理情報を参照する形で、継続録画によって分割されたＡＶコンテンツ間の関連情報を管理する。
【００３０】
以上の様に構成された継続録画コンテンツ結合ダビング装置の分割記録コンテンツのダビング制御における動作について説明する。
図７は、継続録画処理が行われたことの通知を受けて、行う分割記録コンテンツのダビング制御処理のフローチャートである。
まず、継続録画コンテンツ結合ダビング装置は、継続録画コンテンツ管理情報を作成する（ステップＳ７００）。図４（ａ）に示した継続録画が行われた場合の、継続録画コンテンツ管理情報の例を図８（ｂ）に示す。また、この時のＤＶＤ−ＲＡＭ上のＡＶコンテンツ管理情報を図１０（ａ）、ＨＤＤ上のＡＶコンテンツ管理情報を図１０（ｂ）に示す。図４（ａ）においてＤＶＤ−ＲＡＭ上に分割記録された前半部分のコンテンツ識別子がＲＰＬ−２、ＨＤＤ上に分割記録された後半部分のコンテンツ識別子がＲＰＬ−１で示されている。
【００３１】
次に、上記内容の継続録画コンテンツ管理情報を参照して、継続録画処理が発生したことをユーザにＯＳＤ表示等を用いて提示する（ステップＳ７０１）。ここでは、分割記録されたコンテンツの通知と合わせて、分割コンテンツをあらためて一つの記録媒体に格納する為に必要な記録容量も通知するものとする。図６（ａ）にＯＳＤ表示の一例を示す。ユーザはこれらの通知情報を判断して、分割された録画コンテンツを結合するか否かを指定する（ステップＳ７０２）。
ステップＳ７０２において、録画コンテンツの結合を指定しなかった場合は、処理を終了する。
ステップＳ７０２において、録画コンテンツの結合が指定されたならば、第一ダビング処理を行う。第一ダビング処理とは、継続録画による前半部分のコンテンツを、後半部分のコンテンツが記録されている媒体へダビングすることである。ここでは、ダビング方法としてファイルコピー形式のダビングを行うものとする。また、継続録画コンテンツ管理情報をダビング処理後の状態に合わせて編集する。図４（ｂ）は、図４（ａ）の状態から、第一ダビング処理が行われた状態を示す。この時の継続録画コンテンツ管理情報の内容を図１１（ａ）に示す。また、この時のＤＶＤ−ＲＡＭ上のＡＶコンテンツ管理情報を図１０（ａ）、ＨＤＤ上のＡＶコンテンツ管理情報を図１２に示す。ＤＶＤ−ＲＡＭ側は第一ダビング処理でのダビング元媒体となるため、図４（ａ）の状態からの変更はない。
【００３２】
ステップＳ７０３のダビング処理が完了した後、結合記録先となる新たな記録媒体の装着支持をユーザにＯＳＤ表示等を用いて提示する（ステップＳ７０４）。図６（ｂ）にＯＳＤ表示の一例を示す。
ステップＳ７０５において、結合記録実行を指定しなかった場合は、処理を終了する。
ステップＳ７０２において、結合記録実行が指定されたならば、第二ダビング処理を行う。第二ダビング処理とは、第一ダビング処理によって一つの記録媒体上に集められた分割コンテンツを、継続録画コンテンツ管理情報の記録先媒体種別に退避しているユーザが所望する記録媒体にダビングすることである。ここでは、ダビング方法としてファイルコピー形式のダビングを行うものとする。また、継続録画コンテンツ管理情報をダビング処理後の状態に合わせて編集する。図４（ｃ）は、図４（ｂ）の状態から、第二ダビング処理が行われた状態を示す。この時の継続録画コンテンツ管理情報の内容を図１１（ｂ）に示す。第二ダビング処理の完了によって、継続録画数はカウントダウンされ０となっている。また、この時の第二ダビング処理のダビング先としたＤＶＤ−ＲＡＭ上のＡＶコンテンツ管理情報を図１３、ＨＤＤ上のＡＶコンテンツ管理情報を図１２に示す。ＨＤＤ側は第二ダビング処理でのダビング元媒体となるため、図４（ｂ）の状態からの変更はない。図１３において、ＲＰＬ−２で識別されるコンテンツが図４（ｃ）の前半部のＡＶコンテンツに対応し、ＲＰＬ−３で識別されるコンテンツが図４（ｃ）の後半部のＡＶコンテンツに対応する。ＲＰＬ−１で識別されるコンテンツはダビング第二処理以前に、ＤＶＤ−ＲＡＭ上に記録されていた別のコンテンツである。
【００３３】
ステップＳ７０６のダビング処理が完了した後、第二ダビング処理のダビング元のＡＶコンテンツを削除する（ステップＳ７０７）。図４（ｄ）は、図４（ｃ）の状態から、ＨＤＤ上のＡＶコンテンツが削除された状態を示す。
以上のようにして、本発明の第一実施例では、従来例と異なり、継続録画処理によって分割記録されたＡＶコンテンツを継続録画コンテンツとして管理することによって、継続録画コンテンツを構成する異なる記録媒体に分散記録されたＡＶコンテンツに対するダビング制御を行うことができ、当初ユーザが想定していた記録媒体に分散記録されたＡＶコンテンツを記録し直す制御を行うことができる。
【００３４】
以上、本発明に係る継続録画コンテンツ結合ダビング装置の構成、及び分割記録コンテンツのダビング制御方法について、実施の形態に基づいて説明したが、本発明はこれら実施の形態に限られないことは勿論である。即ち、
（１）上記実施の形態では、ダビング処理はファイルコピー形式であったが、これに限定されるものではなく、再エンコードダビング形式いても良い。
これによって、第二ダビング処理において再エンコードダビングを行った場合のコンテンツを図５、及び図１４に示すように単一のコンテンツとして記録することができる。
図１４において、ＲＰＬ−２で識別されるコンテンツが図５（ｃ）の前半部のＡＶコンテンツと後半部のＡＶコンテンツを再エンコードダビングで単一コンテンツとして再記録したコンテンツである。ＲＰＬ−１で識別されるコンテンツはダビング第二処理以前に、ＤＶＤ−ＲＡＭ上に記録されていた別のコンテンツである。
（２）上記実施の形態では、１つの録画再生装置内に２つの記録媒体が装着可能なシステムであったが、これに限定されるものではなく、記録媒体が単一の録画再生装置によって構成される２つ以上の記録媒体を備えた録画再生システムであっても良い。
（３）上記実施の形態では、継続録画によって異なる記録媒体にコンテンツが分散録画された状況を想定しているがこれに限定されるものではなく、当初の録画設定時において、記録先媒体の空容量不足等で継続録画処理が想定される場合には、必要な空容量のある別の記録先媒体へ記録しても良い。これによって、上記実施の形態における第一ダビング処理を不要とすることができる。
（４）上記実施の形態では、記録媒体がDVD-RAM、及びBlu-ray Discであったが、これに限定されるものではなく、例えば、DVD-R、DVD-RW、DVD+RW、CD-R、CD-RW、SDカード、PCカード、MO、MD、PD、スマートメディア、コンパクトフラッシュ（登録商標）、マルチメディアカード、メモリスティック等の記録可能なメディアであっても良い。
【産業上の利用可能性】
【００３５】
本発明にかかる分割記録コンテンツのダビング制御機能を有する継続録画コンテンツ結合ダビング装置は、ホームサーバシステムにおけるライブラリ管理装置として有用である。
【図面の簡単な説明】
【００３６】
【図１】本発明の実施の形態における継続録画コンテンツ結合ダビング装置の構成を示す図
【図２】本発明の実施の形態１における分割記録コンテンツのダビング制御部の構成を示す図
【図３】本発明の実施の形態１における分割記録コンテンツのダビング及び削除制御部の構成を示す図
【図４】本発明の実施の形態１における分割記録コンテンツのファイルコピーダビング制御による分散コンテンツの編集状態の遷移を示す図
【図５】本発明の実施の形態１における分割記録コンテンツの再エンコードダビング制御による分散コンテンツの編集状態の遷移を示す図
【図６】本発明の実施の形態１における分割記録コンテンツのダビング制御におけるダビング起動設定画面の状態を示す図
【図７】本発明の実施の形態１における分割記録コンテンツのダビング制御処理のフローチャート
【図８】本発明の実施の形態１における継続録画コンテンツ管理情報の構造を示す図
【図９】本発明の実施の形態１におけるＡＶコンテンツ管理情報の構造を示す図
【図１０】本発明の実施の形態１におけるＡＶコンテンツ管理情報の継続録画後の各記録媒体の状態を示す図
【図１１】本発明の実施の形態１における継続録画コンテンツ管理情報の第一及び第二ダビング処理後の状態を示す図
【図１２】本発明の実施の形態１におけるＡＶコンテンツ管理情報の第二ダビング処理後のＨＤＤの状態を示す図
【図１３】本発明の実施の形態１におけるＡＶコンテンツ管理情報の第二ダビング処理後のＤＶＤ−ＲＡＭの状態を示す図
【図１４】本発明の実施の形態１におけるＡＶコンテンツ管理情報の第二ダビング処理を再エンコードダビングで行った後のＤＶＤ−ＲＡＭの状態を示す図
【符号の説明】
【００３７】
１００  外部機器
１０１  リモコン
１０２  アンテナ
１０３  モニター
１１０  外部入出力
１１１  ユーザ入力
１１２  チューナー
１１３  エンコーダ
１１４  オーバーレイ
１１５  出力制御部
１１６  デコーダ
１１７  ＯＳＤ表示
１２０  バス
１３０  内蔵タイマー
１３１  ＣＰＵ
１３２  ＲＯＭ
１３３  ＲＡＭ
１３４  記録媒体
２００  継続録画検知手段
２０１  継続録画通知手段
２０２  継続録画コンテンツ管理情報
２０３  結合ダビング起動手段
２０４  継続録画コンテンツ再記録制御手段
２０５  ダビング処理
３００  削除処理
【図１】
2005328146.tif 000003
【図２】
2005328146.tif 000004
【図３】
2005328146.tif 000005
【図４】
2005328146.tif 000006
【図５】
2005328146.tif 000007
【図６】
2005328146.tif 000008
【図７】
2005328146.tif 000009
【図８】
2005328146.tif 000010
【図９】
2005328146.tif 000011
【図１０】
2005328146.tif 000012
【図１１】
2005328146.tif 000013
【図１２】
2005328146.tif 000014
【図１３】
2005328146.tif 000015
【図１４】
2005328146.tif 000016